(57)【要約】【課題】効率の良いスレッドリフトストリップを有する掃除機ヘッドを提供する。【解決手段】真空掃除用電気器具のための掃除機ヘッドは、屑が掃除機ヘッドに入る下方に向いた開口部を有する吸引キャビティを含む。開口部の一部は、前縁及び該前縁と実質的に同一平面上にある後縁によって境界付けされる。スレッドリフトストリップは、吸引キャビティ内に配置されると共に吸引キャビティに対して移動可能な支持体に取り付けられる。バネは、支持体を開口部に向かって延びる方向に押し付ける。【選択図】図２
2013106958.tif 000002
【特許請求の範囲】
【請求項１】
真空掃除用電気器具のための掃除機ヘッドであって、
屑が前記掃除機ヘッドに入る下方に向いた開口部を有する吸引キャビティと、前記吸引キャビティ内に配置されて前記開口部に対して移動可能なスレッドリフトストリップと、
を備える掃除機ヘッド。
【請求項２】
前記スレッドリフトストリップは、前記開口部を含む平面に対して移動可能である、請求項１に記載の掃除機ヘッド。
【請求項３】
前記スレッドリフトストリップは、前記開口部に向かって及び開口部から離れるように移動可能である、請求項１又は請求項２に記載の掃除機ヘッド。
【請求項４】
前記スレッドリフトストリップは、前記掃除機ヘッドの壁の表面に結合される、請求項１から３のいずれかに記載の掃除機ヘッド。
【請求項５】
前記表面は、前記吸引キャビティ内に配置される、請求項４に記載の掃除機ヘッド。
【請求項６】
前記吸引キャビティは、前記スレッドリフトストリップを取り囲む、請求項１から５のいずれかに記載の掃除機ヘッド。
【請求項７】
前記スレッドリフトストリップは、前記開口部を含む平面に向かって付勢される、請求項１から６のいずれかに記載の掃除機ヘッド。
【請求項８】
前記開口部に対して前記スレッドリフトストリップを移動させるための手段を含む、請求項１から７のいずれかに記載の掃除機ヘッド。
【請求項９】
前記移動手段は、前記スレッドリフトストリップが配置される支持体を備え、該支持体は、前記開口部に対して移動可能である、請求項８に記載の掃除機ヘッド。
【請求項１０】
前記支持体は、前記開口部を含む平面に向かって付勢される、請求項９に記載の掃除機ヘッド。
【請求項１１】
前記移動手段は、前記開口部を含む平面に向かって前記支持体を押し付けるための弾性手段を含む、請求項９又は請求項１０に記載の掃除機ヘッド。
【請求項１２】
前記弾性手段は、少なくとも１つのねじりバネを含む、請求項１１に記載の掃除機ヘッド。
【請求項１３】
前記スレッドリフトストリップは、前記支持体に取り付けられる、請求項９から１２のいずれかに記載の掃除機ヘッド。
【請求項１４】
前記支持体は、少なくとも一部が前記吸引キャビティを形成するキャビティ壁に結合される、請求項９から１３のいずれかに記載の掃除機ヘッド。
【請求項１５】
前記支持体は、前記キャビティ壁に枢動可能に結合される、請求項１４に記載の掃除機ヘッド。
【請求項１６】
前記支持体は、前記開口部を含む平面に実質的に平行に延びる軸線の周りで枢動可能である、請求項１５に記載の掃除機ヘッド。
【請求項１７】
前記キャビティ壁は、前記開口部の前縁及び後縁の一方を形成する、請求項１４から１６のいずれかに記載の掃除機ヘッド。
【請求項１８】
前記支持体は、該支持体から外向きに延び、前記キャビティ壁に対して移動できるように結合される少なくとも１つのアームを備える、請求項１４から１７のいずれかに記載の掃除機ヘッド。
【請求項１９】
前記支持体は、上昇位置と下降位置との間で移動可能であり、前記移動手段は、前記支持体の前記下降位置を越えた移動を防ぐための停止部材を備える、請求項９から１８のいずれかに記載の掃除機ヘッド。
【請求項２０】
前記支持体は、前記停止部材を備える、請求項１９に記載の掃除機ヘッド。
【請求項２１】
前記停止部材は、少なくとも一部が前記吸引キャビティを形成する表面と当接するように構成される、請求項１９又は請求項２０に記載の掃除機ヘッド。
【請求項２２】
前記スレッドリフトストリップは、前記支持体の凹部に配置される、請求項１９から２１のいずれかに記載の掃除機ヘッド。
【請求項２３】
前記支持体の凹部は、前部支持縁部及び後部支持縁部を含み、前記縁部は、前記支持体が下降位置にある場合、前記開口部を含む平面を超えて下方に延びない、請求項２２に記載の掃除機ヘッド。
【請求項２４】
前記支持縁部の一方は、前記支持縁部の他方よりも前記支持体から更に突出する、請求項２３に記載の掃除機ヘッド。
【請求項２５】
前記スレッドが前記スレッドリフトストリップの周りに巻き付くことを防止する手段を備える、請求項１から２４のいずれかに記載の掃除機ヘッド。
【請求項２６】
前記スレッド巻き付き防止手段は、前記支持体と前記キャビティ壁との間に配置される、請求項１４に従属する請求項２５に記載の掃除機ヘッド。
【請求項２７】
前記スレッド巻き付き防止手段は、前記支持体及び前記キャビティ壁の少なくとも一方に結合される、請求項２６に記載の掃除機ヘッド。
【請求項２８】
前記スレッド巻き付き防止手段は、前記支持体に結合される第１のセットのリブ、及び前記キャビティ壁に結合される第２のセットのリブを備える、請求項２７に記載の掃除機ヘッド。
【請求項２９】
前記開口部を形成する底面を含み、該底面は、前記開口部の後縁から後方に延びる後方部分を有する、請求項１から２８に記載の掃除機ヘッド。
【請求項３０】
前記後方部分は、第２のスレッドリフトストリップを備える、請求項２９に記載の掃除機ヘッド。
【発明の詳細な説明】
【技術分野】
【０００１】
本発明は、掃除用電気器具のための掃除機ヘッドに関する。好ましい実施形態では、掃除機ヘッドは、真空掃除用電気器具と共に使用するのに適している。
【背景技術】
【０００２】
真空掃除機は、典型的には、汚れ及びほこり分離装置を格納する主本体と、主本体に接続され、吸引開口部を有する掃除機ヘッドと、吸引開口部及び掃除機ヘッドを通して主本体に汚れ含有空気を吸い込むためのモータ駆動ファンユニットとを含む。吸引開口部は、掃除すべき床面と向かい合うように下方に向いている。汚れ含有空気は、空気が大気に排出される前に汚れ及びほこりを空気から分離することができるように分離装置に送られる。分離装置は、フィルタ、フィルタバッグ、又はサイクロン構成の形態を取ることができる。
【０００３】
真空掃除機は、一般的に、円筒型又はキャニスタ型掃除機、直立型掃除機、及び携帯型掃除機を含む。円筒型真空掃除機は、主本体と掃除機ヘッドとの間に延びるホース及びワンド組立体によって床面を引きずられる１組のホイールによって支持される主本体を含む。掃除機ヘッドは、一般的に、主本体から離間したワンド端部に取り外し可能に取り付けられる。使用時には、ユーザは、ワンドを押し引きして、床面上で掃除機ヘッドを前進及び後退させる。直立型真空掃除機は、典型的には、主本体、掃除すべき床面上で真空掃除機を動かすために主本体上に取り付けられた転動組立体、及び主本体上に取り付けられた掃除機ヘッドを含む。使用時には、ユーザは、直立型真空掃除機の主本体を床面に向って傾けた後、真空掃除機を床面上で動かすために、主本体に取り付けられたハンドルを連続的に押し引きする。
【０００４】
掃除機ヘッドには、掃除すべき表面から汚れ、ほこり、又は他の屑の除去を改善するために多数の特徴の１つ又はそれ以上を備えることができる。例えば、掃除機ヘッドには、硬質床面から屑を掃くためのブラシを備えることができる。別の例として、掃除機ヘッドには、コアから半径方向外向きに延びる剛毛を支える細長い円筒型コアを含む回転可能ブラシバーを備えることができる。ブラシバーの回転により、剛毛が掃除すべきカーペットの繊維の間を掃いて、カーペットの繊維と、カーペットの表面上及び／又はカーペットの繊維間にあるほこり粒子、繊維、及び毛髪等の屑の両方を激しく動かす。
【０００５】
また、掃除機ヘッドがカーペット敷き床面表面上で操作されると、カーペット敷き床面の繊維を激しく動かすために、それぞれの作業縁部によって両側に境界付けられた吸引開口部を有する掃除機ヘッドを提供することが知られている。例えば、国際特許２００２／０２６０９７号には、汚れ含有空気流が吸引キャビティに吸い込まれる吸引開口部を定める底面を有する掃除機ヘッドが開示されている。底面は、吸引開口部から前方に延びる傾斜した前方部分を有し、これは吸引キャビティの前壁との交差部において鋭利な前部作業縁部を定める。また、底面は、吸引開口部から後向きに延びる傾斜した後方部分を有し、これは、吸引キャビティの後壁との交差部において鋭利な後部作業縁部を定める。カーペット敷き床面上の掃除機ヘッドの前方及び後方行程の各々によって、大気から引き込まれた空気はヘッドの作業縁部の１つの下を通って吸引キャビティに入る。
【０００６】
床面上で掃除機ヘッドを前方に押す動作により、底面の前方部分がカーペットの繊維の中に押し込まれ、カーペットに付与される下向きの力を前部作業縁部に集中させる。前方部分が繊維の上を移動すると、繊維の上端は、一時的に前方向に偏向され、その後、吸引キャビティ中に跳ね返る。繊維の急激な移動により、汚れ及びほこりは繊維の間から取り除かれて吸引キャビティの中に入るが、汚れ及びほこりは前部作業縁部の下方を通って吸引チャネルに入る空気流に同伴される。
【０００７】
掃除機ヘッドを床面上で後方に引くと同様の動作が起こり、掃除機ヘッドを床面上で後方に引くことで、底面の後方部分がカーペット繊維の中に入り、下向きの力は後部作業縁部に集中する。後方部分が繊維の上を移動すると、繊維の上端は、一時的に後方方向に偏向されて、その後、吸引キャビティの中に跳ね返る。取り外された汚れ及びほこりは、吸引キャビティに入り、後部作業縁部の下を通って吸引チャネルに入る空気流に同伴される。
【０００８】
これらの作業縁部の存在により、汚れ及びほこりがカーペットの繊維の間から除去される効率を非常に高くすることができる。一般的に「糸屑（lint）」と呼ばれるスレッド（thread、糸）や毛髪をカーペット表面から除去する効率を改善するために、スレッド収集ストリップ又は糸屑ピッカとも呼ばれるスレッドリフトストリップ（糸拾い上げストリップ）は、前方部分及び後方部分によって定められる作業縁部に隣接する、底面の前方部分及び後方部分の各部に配置される。各スレッドリフトストリップは、一般的に、掃除機ヘッドに接着されるか又は取り付けられる、繊維質下面を有するパッドの形態である。後部スレッドリフトストリップの繊維は、掃除機ヘッドがカーペット上を前方向に移動するとカーペットから糸屑を収集し、掃除機ヘッドがカーペット上で後方に引き戻される場合に収集した糸屑を解放するように同一方向に傾斜している。前部スレッドリフトストリップの繊維は、掃除機ヘッドをカーペット上で後方に引くと糸屑を収集し、掃除機ヘッドをカーペット上で前方に押す場合に収集した糸屑を解放するように、後部スレッドリフトストリップの繊維とは反対方向に整列している。
【０００９】
収集された糸屑は、すぐにスレッドリフトストリップから解放される傾向があるわけでなく、代わりに、収集された糸屑は凝集して、収集された糸屑の表面積が吸引キャビティに向かう空気流によってスレッドリフトストリップからむしり取られるほど十分に大きい、最終的にスレッドリフトストリップから解放される塊を形成する傾向がある。凝集した糸屑の大きさ次第では、カーペットと掃除機ヘッドの底面との間で吸引キャビティにすぐに移行できない可能性があり床面上に残る場合がある。この場合、解放された糸屑を吸引キャビティに吸い込むことができるように、ユーザは、解放された糸屑上に掃除機ヘッドを再配置する必要がある。
【００１０】
スレッドリフトストリップが、作業縁部を定めるように吸引開口部に向かって傾斜する表面に配置される場合、スレッドリフトストリップは、その全幅にわたってカーペットと密接に接触しない場合がある。これにより、隣接する作業縁部から離れて配置されるスレッドリフトストリップ部が、隣接する作業縁部に最も近いスレッドリフトストリップ部よりも糸屑の収集に関して効率が悪いという影響がある。同様に、ユーザが掃除機ヘッドを床面上で前進及び後退させると、掃除機ヘッドが前後に揺動する、もしくは、スレッドリフトストリップが床面に対して上昇及び下降する傾向がある。スレッドリフトストリップの上昇は、スレッドリフトストリップが糸屑を収集するように配置される行程中に起こる傾向があるので、上昇スレッドリフトストリップとカーペットとの間の接触の密接性の低下は、スレッドリフトストリップの効率を更に低下させる場合がある。
【先行技術文献】
【特許文献】
【００１１】
【特許文献１】国際特許公開番号２００２／０２６０９７号
【発明の概要】
【課題を解決するための手段】
【００１２】
第１の態様では、本発明は、真空掃除用電気器具のための掃除機ヘッドを提供し、掃除機ヘッドは、屑が掃除機ヘッドに入る下方に向いた開口部を有する吸引キャビティと、開口部に対して移動可能なスレッドリフトストリップとを備える。
【００１３】
掃除機ヘッドが、カーペット上で操作されると、力は、カーペットと接触状態にある掃除機ヘッドの各部分からカーペットに下向き方向に加えられる。掃除機ヘッドのこれらの部分は、掃除機ヘッドが床面上で操作される場合に掃除機ヘッドを支持する支持部材とすることができる。これらの支持部体は、ホイール又はキャスタの形態にすることができる。代替的に又は追加的に、これらの部分は、汚れ及び屑が掃除機ヘッドに入る開口部の少なくとも１つの縁部の形態にすることができる。
【００１４】
スレッドリフトストリップとカーペットとの間の接触は、いかなる瞬間においてもカーペットと接触状態にある掃除機ヘッドの表面積を増加させるので、掃除機ヘッドの他の形態部によってカーペットの繊維に加えられる下向きの力は減少する。スレッドリフトストリップが開口部に対して定位置に配置される場合、スレッドリフトストリップからカーペットに加えられる下向きの力の比率は、これらの縁部から繊維に加えられる力の比率の低下により、例えば、開口部の縁部によるカーペット繊維の揺動を損なうほど十分に高くなる場合があるので、カーペット繊維の間に捕捉された汚れ及びほこりを除去するための掃除機ヘッドの性能が低下する。この点に照らして、スレッドリフトストリップは、開口部に対して移動可能に配置される。これにより、スレッドリフトストリップからカーペットに加えられる下向きの力の比率を低下させることができる。
【００１５】
スレッドリフトストリップは、吸引キャビティから離間することができる。例えば、スレッドリフトストリップは、吸引キャビティの前方又は後方に配置することができる。吸引キャビティは、前方部分及び該前方部分に流体結合された後方部分から形成することができ、スレッドリフトストリップは、これらの部分の間に置くことができる。従って、吸引キャビティはスレッドリフトストリップの周りに延びることができるが、スレッドリフトストリップは吸引キャビティ内に配置されない。これらの場合には、スレッドリフトストリップは、開口部を含む平面に対して移動可能である。
【００１６】
しかしながら、好ましい実施形態では、スレッドリフトストリップは、吸引キャビティ内に位置する。使用時、掃除機ヘッドがカーペット敷き床面上で操作されると、吸引キャビティ内の空気圧の低下により、カーペットの一部が吸引キャビティ内に持ち上がりカーペットの「丘状部」が生じる。吸引キャビティ内にスレッドリフトストリップを設けると、カーペット上の掃除機ヘッドの前方及び後方行程時に、スレッドリフトストリップをカーペット丘状部と密接接触状態に置くことができ、スレッドリフトストリップによる糸屑の収集及びその後のスレッドリフトストリップからの糸屑の解放の両方の効率が高くなる。収集した糸屑は、スレッドリフトストリップから解放されると、即座に、つまり掃除機ヘッドの下面の開口部又は縁部の他の形態部の下方を通ることなく吸引キャビティに吸引される。この場合、スレッドリフトストリップは、開口部に向かって及び開口部から離れるように移動可能である。
【００１７】
掃除機ヘッドは、単一の吸引キャビティを含むことができる。吸引キャビティは、開口部から空気を受け取るように及び吸引キャビティから空気を吐出するように配置された単一部分を含むことができる。もしくは、吸引キャビティは、それぞれ開口部を有する前方部分及び後方部分を含むことができ、後方部分は、前方部分から空気を受け取ると共に吸引キャビティから空気を吐出するように配置される。この場合、スレッドリフトストリップは、吸引キャビティの前方部分又は後方部分のどちらかに配置できる。
【００１８】
スレッドリフトストリップは、掃除機ヘッドの任意の表面に結合することができる。スレッドリフトストリップが吸引キャビティの外側に配置される場合、スレッドリフトストリップは、吸引キャビティを形成する本体の外部表面、又は吸引キャビティの出口から掃除機ヘッドの出口まで空気を送るためのホースの外部表面等の掃除機ヘッドの任意の外部表面に結合することができる。もしくは、掃除機ヘッドの下方であるが吸引キャビティの外部に配置される場合、スレッドリフトストリップは、掃除機ヘッドの内部表面に結合することができる。
【００１９】
好ましくは、スレッドリフトストリップは、吸引キャビティ内に位置する表面に結合される。この表面は、少なくとも部分的に吸引キャビティを形成する壁の一部とすることができる。この表面は、吸引キャビティの側壁の表面、又は吸引キャビティの上壁の表面とすることができる。スレッドリフトストリップは、吸引キャビティの２つの側壁の間に延びることができるので、スレッドリフトストリップの一方の端部は、一方の側壁に結合され、スレッドリフトストリップの他方の端部は、他方の側壁に結合される。もしくは、スレッドリフトストリップは、吸引キャビティの全域に延びる表面に結合することができる。これは、吸引キャビティ内に配置される内壁の形態又は他の形態とすることができる。
【００２０】
好ましくは、スレッドリフトストリップの少なくとも１つは、開口部を含む平面に向かって付勢される。これにより、掃除機ヘッドがカーペット上で操作されると、例えば、カーペットの上面と開口部を含む平面との間の距離がどのように変動しても、スレッドリフトストリップとカーペットとの間の密接接触状態を維持できる。
【００２１】
スレッドリフトストリップは、床面上の掃除機ヘッドの一部の移動時に、開口部の平面に向かって付勢することができる。この場合、スレッドリフトストリップは、床面上の掃除機ヘッドの前方又は後方行程のうちの他方の間に開口部の平面から離れるように移動することができる。例えば、回転可能ホイールは、床面と係合するように掃除機ヘッドに設けることができる。ホイールは、掃除機ヘッドが床面上を操作されると、ホイールの回転方向に応じて開口部の平面に向かって又は平面から離れるようにスレッドリフトストリップを移動させる機構に連結できる。
【００２２】
代替的に、スレッドリフトストリップは、床面上の掃除機ヘッドの前方及び後方行程の両方の間に開口部の平面に向かって付勢することができる。スレッドリフトストリップは、種々の方法で開口部の平面に向かって付勢することができる。前述のように、スレッドリフトストリップは、全体として裏打ち部材上に並べられた一方向繊維アレイ（列）を含む。裏打ち部材は、金属、プラスチック、又はゴム材料等の弾力材料から形成できる。この場合、掃除機ヘッドの表面又は掃除機ヘッドの２つの表面の間へのスレッドリフトストリップ端部の取り付けによって、繊維の少なくとも一部が開口部の平面に向かい合うように、スレッドリフトストリップの少なくともこれらの繊維を弾力性がある裏打ち部材によって開口部の平面に向かって押し付けることができる。もしくは、掃除機ヘッドは、裏打ち部材と係合してスレッドリフトストリップの繊維を開口部の平面に向かって押し付けるための、バネ又は他の弾性部材等の弾性部材を含むことができる。この弾性部材は、スレッドリフトストリップと、掃除機ヘッドの底面又は吸引キャビティの上面等の掃除機ヘッドの下方に向いた面との間に配置できる。別の代替形態として、スレッドリフトストリップは、複数の相対移動可能な部分を含むことができる。これらの部分は、少なくとも中央に配置された部分が開口部の平面に向かって押し付けられるように、端と端とをヒンジ結合できる。
【００２３】
掃除機ヘッドは、スレッドリフトストリップを開口部に対して移動させる手段を含むことができる。移動手段は、スレッドリフトストリップが配置され、開口部に対して移動可能な支持体を含むことができる。スレッドリフトストリップは、例えば、接着剤を用いて支持体に取り付けることができ、スレッドリフトストリップの裏打ち部材を支持体に取り付けるようになっている。もしくは、スレッドリフトストリップの繊維は、例えば、接着剤を用いて直接支持体に配置することができる。この場合、接着剤は、スレッドリフトストリップの裏打ち部材を形成すると考えることができる。
【００２４】
支持体は、開口部の平面に向かって付勢することができる。支持体は、自重によって開口部の平面に向かって押し付けることができる。もしくは、支持体は、金属、プラスチック、又はゴム材料等の弾性材料から形成することができる。
【００２５】
好ましい実施形態では、弾性手段は、支持体を開口部の平面に向かって付勢するために設けられる。弾性手段は、支持体と係合してスレッドリフトストリップを開口部の平面に向かって押し付けるためのバネ又は他の弾性部材等の１つ又はそれ以上の弾性部材を含むことができる。これらの弾性部材は、支持体と、掃除機ヘッドの底面又は吸引キャビティの上面等の掃除機ヘッドの下方に向いた面との間に配置できる。弾性部材は、吸引キャビティの外側に配置できる。例えば、支持体は、吸引キャビティの上壁に形成された開口に広がるロッド、シャフト、又は他の細長い部材を含むことができ、引張バネ等の弾性部材は、支持体を開口部に向かって押し付けるように、細長い部材の端部と吸引キャビティの上壁との間に配置できる。
【００２６】
代替的に、弾性手段は、吸引キャビティの内側に配置すること及び支持体と吸引キャビティの表面との間に配置することができる。弾性手段は、１つ又はそれ以上の弾性部材によってもたらすことができる。これらの弾性部材の各々は、開口部に向かって延びる方向に支持体を押し付けるためのねじりバネ又は圧縮バネ等のバネ、又は支持体を吸引キャビティに結合するための可撓性コネクタの形態とすることができる。可撓性コネクタは、支持体及び吸引キャビティの少なくとも１つと一体化することができる。
【００２７】
好ましくは、支持体は、少なくとも一部が吸引キャビティを形成するキャビティ壁に結合される。キャビティ壁は、吸引キャビティの上壁又は側壁とすることができる。支持体は、キャビティ壁に対して又はこれに沿って摺動可能に吸引キャビティに結合することができる。もしくは、支持体は、キャビティ壁に向かって又はこれから離れるように移動可能に吸引キャビティに結合することができる。１つの実施形態では、支持体は、キャビティ壁に枢動可能に結合される。キャビティ壁は、開口部の前縁及び後縁の一方を形成する吸引キャビティの壁とすることができ、キャビティ壁は、吸引キャビティの側壁とすることができる。
【００２８】
好ましくは、支持体は、開口部が位置する平面に実質的に平行に延びる軸線周りで枢動可能である。支持体は、外向きに延びて、キャビティ壁に対して移動可能に結合される少なくとも１つのアームを含むことができる。キャビティ壁及び支持体の少なくとも１つは、吸引キャビティが支持体を囲むように、キャビティ壁と支持体との間にチャネルを定めるように形作ることができる。例えば、支持体をキャビティ壁に結合するアームの長さは、支持体がキャビティ壁から離間するように選択できる。
【００２９】
弾性手段の一端は、キャビティ壁に結合又は係合することができ、弾性手段の他端は、支持体に結合又は係合することができ、支持体を開口部に向かって押し付けるようになっている。
【００３０】
好ましくは、掃除機ヘッドは、スレッドリフトストリップの周りにスレッドが巻き付くのを防止する手段を備える。好ましくは、スレッド巻き付き防止手段は、支持体とキャビティ壁との間に配置され、スレッド巻き付き防止手段は、支持体とキャビティ壁との間に配置されたチャネル内に少なくとも部分的に配置される。従って、スレッド巻き付き防止手段は、支持体とキャビティ壁との間にバリアをもたらすので、掃除機ヘッドのカーペット上の移動によってスレッドリフトストリップから解放される前に、収集されたスレッド又は毛髪の端部が支持体に巻き付くのを防止する。好ましくは、スレッド巻き付き防止手段は、支持体及びキャビティ壁の少なくとも１つに結合される。第１の実施例として、スレッド巻き付き防止手段は、支持体及びキャビティ壁の一方に結合されたグリル又はメッシュを含むことができる。第２の実施例として、スレッド巻き付き防止手段は、支持体及びキャビティ壁の一方に結合されると共に他方に向かって延びるリブのセット（組）を含むことができる。第３の実施例として、スレッド巻き付き防止手段は、支持体に結合された第１のセットのリブ及びキャビティ壁に接続された第２のセットのリブを含むことができる。好ましくは、第１のセットのリブの各リブは、第２のセットのリブの１つのリブに隣接して配置される。
【００３１】
好ましくは、スレッドリフトストリップは、開口部の前縁及び後縁に実質的に平行に整列される。スレッドリフトストリップは、部分的に又は実質的に完全に吸引キャビティ上に延びることができる。
【００３２】
好ましくは、支持体は、上昇位置と下降位置との間で開口部に対して移動可能である。好ましくは、停止部材は、下降位置を越えた支持体の移動を防止するために設けられる。停止部材は、支持体上に配置できる。停止部材は、少なくとも一部が吸引キャビティを形成する表面、又はキャビティ内又はキャビティ外側にある別の表面と当接するように配置できる。
【００３３】
好ましくは、スレッドリフトストリップは、支持体の凹部に配置される。スレッドリフトストリップは、好ましくは、接着剤を用いて支持体のこの凹部に接続される。好ましくは、支持体の凹部は、各々が開口部に向かって延びる前縁及び後縁を含み、支持体のこれら縁部の一方は、縁部の他方を越えて下向きに延びる。好ましくは、スレッドリフトストリップは、縁部の一方に向かって傾いた繊維アレイを含む。これは、掃除機ヘッドがカーペット上を操作されると、スレッドリフトストリップの表面上に蓄積された糸屑が、この縁部とカーペットとの間で捕捉されるか又は「挟まれる」ようにすることができ、これは蓄積された糸屑をスレッドリフトストリップから取り除くことを助ける。
【００３４】
好ましくは、支持体は、支持体の前記縁部の１つが開口部の前縁及び後縁と実質的に同一平面上にある位置に向かって付勢される。これは、支持体の表面が開口部を越えて下方に突出するのを防止するので、掃除機ヘッドが位置する硬い床面に対して縁部が押し付けられるのを防止する。この位置において、スレッドリフトストリップの下面は、好ましくは実質的に開口部と平行である。好ましくは、停止部材は、この位置を越えた支持体の移動を防止するために、吸引キャビティの壁と接触するように構成される。この壁は、支持体が結合されるキャビティ壁とすることができる。支持体の縁部は、開口部の前縁及び後縁と実質的に平行とすることができる。縁部は、比較的鋭利なことが好ましいので、縁部は、スレッドリフトストリップの下面に対して傾斜する支持体の下面の前方部分又は後方部分の形態で、表面の縁部によって形成されることが好ましい。
【００３５】
複数のスレッドリフトストリップは、支持体上に配置することができる。スレッドリフトストリップは、支持体に沿って又は支持体上で端から端まで又は千鳥配置で配置することができ、ストリップの繊維は同一方向に整列している。もしくは、スレッドリフトストリップは並列配置で配置でき、スレッドリフトストリップの繊維は反対方向に配置される。この場合、一方のスレッドリフトストリップは、掃除機ヘッドのカーペット上の前方行程時に糸屑を収集でき、他方のスレッドリフトストリップは、掃除機ヘッドのカーペット上の後方行程時に糸屑を収集できる。空気チャネルは、各スレッドリフトストリップの間に設けることができる。更なる代替形態として、掃除機ヘッドは、それぞれスレッドリフトストリップを含む２つの支持体を備えることができる。
【００３６】
好ましくは、掃除機ヘッドは、前述の開口部を形成する底面を含む。好ましくは、底面は、開口部の前縁から前方に延びる前方部分と、開口部の後縁から後方に延びる後方部分とを有する。好ましくは、これらの部分の各々は、開口部の比較的鋭利な前縁及び後縁を形成するように開口部を含む平面に対して傾斜している。底面の前方部分及び／又は底面の後方部分の少なくとも１つは、第２のスレッドリフトストリップを含むことができる。好ましくは、第２のスレッドリフトストリップは、実質的に掃除機ヘッドの全幅に延び、好ましくは、開口部の前縁及び後縁に対して実質的に平行である。
【００３７】
第２の態様では、本発明は、真空掃除用電気器具のための掃除機ヘッドを提供し、掃除機ヘッドは、
下方に向いた開口部を有する吸引キャビティであって、屑が開口部を通って吸引キャビティに入り、開口部の一部が前縁及び後縁によって境界付けされる吸引キャビティと、
吸引キャビティ内に配置され、吸引キャビティ対して移動可能な支持体と、
支持体上に取り付けられるスレッドリフトストリップと、
開口部に向かって延びる方向に支持体を押し付けるための弾性手段と、
を備える。
【００３８】
本発明の第１の態様に関連して説明した特徴は、本発明の第２の態様にも同様に適用でき、逆もまた同じである。
【００３９】
本発明の好ましい特徴は、例示目的の添付の図面を参照して以下に説明する。
【図面の簡単な説明】
【００４０】
【図１】掃除機ヘッドの第１の実施例の上から見た正面斜視図である。
【図２】図１の掃除機ヘッドの上から見た正面斜視図である。
【図３】図１の掃除機ヘッドの底面図である。
【図４】図３の線Ａ−Ａに沿った横断面の前方部である。
【図５】図３の線Ｂ−Ｂに沿った横断面図の前方部である。
【図６】掃除機ヘッドの第２の実施例の上から見た正面斜視図である。
【図７】図６の掃除機ヘッドの下から見た正面斜視図である。
【図８】図６の掃除機ヘッドの下から見た背面斜視図である。
【図９】図６の掃除機ヘッドの底面図である。
【図１０】図９の線Ａ−Ａに沿った横断面図の前方部である。
【図１１】図９の線Ｂ−Ｂに沿った横断面図の前方部である。
【図１２】図９の線Ｃ−Ｃに沿った横断面図の前方部である。
【発明を実施するための形態】
【００４１】
図１から図３は、真空掃除用電気器具のための掃除機ヘッド１０の第１の実施例の外観図である。掃除機ヘッド１０は、主本体１２と、掃除機ヘッド１０を床面上で操作することを可能にするように配置された１対のホイール１４とを含む。各ホイール１４は、主本体１２から後方に延びるそれぞれのアーム１６に回転可能に結合される。掃除機ヘッド１０は、真空掃除機のワンド又はホースに接続可能な開放端を有するコネクタ１８を更に含む。
【００４２】
主本体１２は、下側本体部分２０、及び下側本体部分２０上でこの周りに延びる上側本体部分２２を含む。下側本体部分２０は、掃除機ヘッド１０の吸引キャビティを形成する。使用時には、吸引キャビティは、掃除すべき床面に向かい合い、汚れ含有空気を床面から掃除機ヘッド１０に受け入れる。
【００４３】
しかしながら、本実施例では、吸引キャビティは、前部吸引キャビティ部分２４及び後部吸引キャビティ部分２６を備える。各吸引キャビティ部分２４、２６は、下側本体部分２０の実質的に全体に広がって延びる。前部吸引キャビティ部分２４は、主本体１２の前部に向かって配置され、後部吸引キャビティ部分２６は、前部吸引キャビティ部分２４の後方で主本体１２の後部に向かって配置される。前部吸引キャビティ部分２４は、第１の汚れ含有空気流が前部吸引キャビティ部分２４に入る下方に向いた吸引開口部２８を有し、後部吸引キャビティ部分２６は、第２の汚れ含有空気流が後部吸引キャビティ部分２６に入る下方に向いた吸引開口部３０を有する。
【００４４】
吸引開口部２８、３０の各々は、下側本体部分２０の底面３２によって形成される。吸引開口部２８は、各々が下側本体部分２０の底面３２から立ち上がる、側壁３４、３６、比較的長い前壁３８及び比較的長い後壁４０によって境界が定められる。吸引開口部２８の前部作業縁部４２は、底面３２と前壁３８との間の交差部で定められ、吸引開口部２８の後部作業縁部４４は、底面３２と後壁４０との間の交差部で定められる。
【００４５】
また、吸引開口部３０は、各々が下側本体部分２０の底面３２から立ち上がる、側壁４６、４８、比較的長い前壁５０及び比較的長い後壁５２によって境界が定められる。主本体１２を広がるチャネル５４は、前部吸引キャビティ部分２４の後壁４０と、後部吸引キャビティ部分２６の前壁５０とを分離する。チャネル５４は、２つの部分に分かれ、チャネル５４の各部分の上端は大気開放である。吸引開口部３０の前部作業縁部５６は、底面３２と前壁５０との間の交差部で定められ、吸引開口部３０の後部作業縁部５８は、底面３２と後壁５２との間の交差部で定められる。
【００４６】
作業縁部４２、４４、５６、５８は、吸引開口部２８、３０を含む図４に示す平面Ｐ1と実質的に同一平面上にあり、この内部に配置される。作業縁部４２、４４、５６、５８の各々は、好ましくは比較的鋭利であり、好ましくは０．５ｍｍ未満の曲率半径を有する。作業縁部４２、４４、５６、５８が硬い床面に傷を付けること又は跡を付けるのを防止するために、掃除機ヘッド１０がこのような床面上で操作される場合、掃除機ヘッド１０は、作業縁部４２、４４、５６、５８を硬い床面から離間する働きをする表面係合支持部材を備える。本実施形態では、掃除機ヘッド１０は、下側本体部分２０に形成された１対の凹部に回転可能に取り付けられた一対のホイール６０を備える。図５に示すように、ホイール６０は、ホイール６０の最下端が、作業縁部４２、４４、５６、５８の下方に配置されるように、作業縁部４２、４４、５６、５８を越えて下方に突出する。
【００４７】
使用時、掃除機ヘッド１０を通過した空気と外部環境との間で差圧が発生する。この差圧により、掃除機ヘッド１０に床面に向かって下向きに作用する力が生じる。掃除機ヘッド１０をカーペット敷き床面上に置く場合、ホイール６０は、掃除機ヘッド１０の重量及び掃除機ヘッド１０に下向きに作用する力を受けてカーペットの繊維中に押し込まれる。ホイール６０の厚さは、ホイール６０がカーペット内に簡単に沈み込み、主本体１２の少なくとも作業縁部４２、４４、５６、５８がカーペット繊維と接触状態になるように選択される。ホイール６０の厚さは、好ましくは５ｍｍ未満である。
【００４８】
前部吸引キャビティ部分２４は、第１の汚れ含有空気流を後部吸引キャビティ部分２６に送る中間チャネル６２によって後部吸引キャビティ部分２６に結合される。各チャネル６２は、主本体１２のそれぞれの側面の方に配置され、下側本体部分２０の底面３２の一部の下方を通過する。後部吸引キャビティ部分２６は、第１及び第２の汚れ含有空気流の両方が吸引キャビティから放出される空気出口６４を含む。空気流は、ホイール１４で支持された可撓性ホース６６を通過してコネクタ１８に向かう。ホース６６の一方の端部は、空気出口６４に適合して、これに対してシールされる広い口部を有する。内部ホース６６の他方の端部は円形断面を有し、同様にコネクタ１８の内側で適合するネック部６８に対して適合して、これに対してシールされるように配置される。ネック部６８は、掃除機ヘッド１０の主本体１２に向かって延びる第２のアーム対７０に結合され、好ましくはこれらと一体化される。各アーム７０は、一方の端部に向かって、第３のアーム対７２のそれぞれの１つの第１の端部に枢動可能に結合される。これは、掃除機ヘッド１０の第１の関節継手を提供する。各アーム７２の第２の端部は、掃除機ヘッド１０の主本体１２のそれぞれのアーム１６に枢動可能に結合される。これは、掃除機ヘッド１０の第２の関節継手を提供する。第１及び第２の継手は、平面Ｐ1に平行な軸線周りで枢動する。コネクタ１８は、第１及び第２の継手の軸線に対して垂直な軸線周りでネック６８に対して回転するように配置される。コネクタ１８とネック６８の回転可能な結合は、掃除機ヘッド１０が横方向に移動することを可能にする第３の継手を形成する。使用時に、３つの継手は、カーペットと作業縁部４２、４４、５６、５８との接触を維持しながら、掃除機ヘッド１０を操作及び操向することを可能にする。
【００４９】
ブリード弁７４は、主本体１２の下側本体部分２０と上側本体部分２２との間に位置するキャビティ７６に設けられる。キャビティ７６は大気に開放される上側開口７８を有し、キャビティは弁座によって形成される。また、キャビティ７６は、空気出口６４と連通する複数の下側開口８０を有する。ブリード弁７４は、掃除機ヘッド１０の通常の使用時にキャビティ７６を空気が流れないように、バネ８２によって付勢されて弁座が係合する。例えば、吸引キャビティ２４、２６の１つに吸い込まれた繊維によって吸引キャビティが塞がれた場合、空気出口６４の圧力は低下することになる。吸引キャビティ内部の圧力が所定値を下回る場合、ブリード弁７４に作用する大気圧は該ブリード弁をバネ８２の力に抗して下向きに押し付けるので、大気中の空気が掃除機ヘッド１０に入る流路をもたらす。閉塞物を取り除くと、空気出口６４の空気圧は上昇することになり、大気中の空気からブリード弁７４に作用する力が低減して、バネ８２が弁座に対してブリード弁７４を押し戻すことになる。
【００５０】
スレッドリフトストリップ支持体８４は、後部吸引キャビティ部分２６に配置される。支持体８４は、下側本体部分２０に対して、結果的に後部吸引キャビティ部分２６及びその吸引開口部３０に対して移動可能なように、主本体１２の下側本体部分２０に結合される。本実施例では、支持体８４は、後部吸引キャビティ部分２６の前壁５０に結合される。支持体８４は、支持体８４の主本体から外向きに延び、前壁５０に形成された開口を通って延びる一対のアーム８６を含む。アーム８６は、前壁５０に結合されるシャフト８８を受け入れる凹部を備える。アーム８６は、アーム８６がシャフト８８を長手方向に通過する軸線Ａの周りで枢動することを可能にするスナップ嵌めで前壁５０に結合される。アーム８６の長さは、後部吸引キャビティ部分２６が支持体８４の主本体の周りに延びるように、支持体８４を前壁５０から離間できる長さに選択される。
【００５１】
支持体８４の主本体は、第１のスレッドリフトストリップ９２が、例えば、接着剤を用いて取り付けられる凹部９０を有する。スレッドリフトストリップ９２は、比較的剛性のある剛毛又は繊維の短い房を含む下面を有する、細長いストリップ又はパッドの形態である。スレッドリフトストリップ９２の繊維は、同一方向に整列しており、本実施例では、後部吸引キャビティ部分２６の前壁５０から下向きかつこれから離れるように傾斜している。支持体８４の凹部９０は、支持体８４の下面９４を形成すると共に、支持体８４の前縁９６及び後縁９８を形成する。後縁９８は、前縁９６を越えて下方に突出している。図４及び図５に示す支持体の下降位置Ｌにおいて、後縁９８は、実質的に吸引開口部２８、３０の作業縁部４２、４４、５６、５８を含む平面Ｐ1に配置される。支持体８４は、下降位置Ｌを越えた支持体８４の下方への移動を阻止する停止部材１００を含む。停止部材１００は、支持体８４のアーム８６の一方に配置され、後部吸引キャビティ部分２６の前壁５０に配置される当接面１０２と係合するように構成される。他方のアーム８６には、同じ停止部材１００を設けることができる。
【００５２】
支持体８４は、軸線Ａの周りの支持体８４の枢動運動により図４及び図５に点線で示す下降位置Ｌから上昇位置Ｒまで上向きに移動することができる。支持体８４は、ねじりバネ１０４によって下降位置Ｌに付勢される。ねじりバネ１０４は、前壁５０と係合する第１の端部と、支持体８４の一部、好ましくは支持体８４のアーム８６の一方と係合する第２の端部とを有し、支持体８４を下降位置に付勢するようになっている。第２のねじりバネ１０４は、支持体８４の他方のアーム８６と係合するように設けることができる。
【００５３】
第２のスレッドリフトストリップ１０６は、主本体１２の下側本体部分２０の底面３２に取り付けられる。本実施例では、第２のスレッドリフトストリップ１０６は、底面の後方部分１０８に取り付けられる。後方部分１０８は、吸引開口部３０の後部作業縁部５８から後方に延び、作業縁部４２、４４、５６、５８を含む平面Ｐ1に対して上向きに傾斜している。第２のスレッドリフトストリップ１０６は、実質的に主本体１２の全幅に延びる。第２のスレッドリフトストリップ１０６の繊維は、吸引開口部３０の後部作業縁部５８に向かって傾斜するように整列している。
【００５４】
使用時、掃除機ヘッド１０は、吸引空気流を発生する真空掃除用電気器具に連結される。掃除すべきカーペット敷き床面上に置かれた掃除機ヘッド１０を用いて、ユーザは、ワンドを連続的に押し引きして、カーペット上で掃除機ヘッド１０を前方及び後方に移動する。掃除機ヘッド１０の各前方行程時に、前部作業縁部４２、５６は、繊維が前部作業縁部４２、５６の下方を通過すると、繊維が吸引キャビティ部分２４、２６の一方に入るような方向にカーペットの繊維上を移動する。前部作業縁部４２、５６が繊維の上を移動すると、繊維の上端は、前部作業縁部４２、５６が加える下向きの力の作用を受けて前方向に偏向される。前部作業縁部４２、５６が、偏向された繊維を越えて移動すると、偏向された繊維は、吸引キャビティ部分２４、２６の一方の中に跳ね返る。この繊維の急激な移動により、汚れ及びほこりは繊維の間から取り除かれて吸引キャビティ部分２４、２６に入る。前部吸引キャビティ部分２４に入った汚れ及びほこりは、前部作業縁部４２の下部及び前部吸引キャビティ部分２４に吸い込まれた第１の空気流に同伴されるが、後部吸引キャビティ部分２６に入った汚れ及びほこりは、チャネル５４及び前部作業縁部５６の下方を通過して後部吸引キャビティ部分２６に入る第２の空気流に同伴される。第１の汚れ含有空気流は、中間チャネル６２を通過して、後部吸引キャビティ部分２６の第２の汚れ含有空気流と一緒になる。空気流は、空気出口６４を通って後部吸引キャビティ部分２６から出る。
【００５５】
掃除機ヘッド１０の各後方行程時に、後部作業縁部４４、５８は、繊維が後部作業縁部４４、５８の下方を通過すると、繊維が吸引キャビティ部分２４、２６の一方に入るような方向にカーペットの繊維上を移動する。後部作業縁部４４、５８が繊維の上を移動すると、繊維の上端は、後部作業縁部４４、５８が加える下向きの力の作用受けて後方向に偏向される。後部作業縁部４４、５８が、偏向された繊維上を移動すると、偏向された繊維は、吸引キャビティ部分２４、２６の一方の中に跳ね返る。この繊維の急激な移動により、汚れ及びほこりは繊維の間から取り除かれて吸引キャビティ部分２４、２６に入る。前部吸引キャビティ部分２４に入った汚れ及びほこりは、チャネル５４及び後部作業縁部４４の下方を通過して前部吸引キャビティ部分２４に入る第１の空気流に同伴されるが、後部吸引キャビティ部分２６に入った汚れ及びほこりは、後部作業縁部５８の下方で引き込まれて後部吸引キャビティ部分２６の中に入る第２の空気流に同伴される。第１の汚れ含有空気流は、中間チャネル６２を通過して、後部吸引キャビティ部分２６の第２の汚れ含有空気流と一緒になる。空気流は、空気出口６４を通って後部吸引キャビティ部分２６から出る。
【００５６】
従って、掃除機ヘッド１０のカーペット上の前方及び後方行程時の各々で、作業縁部４２、４４、５６、５８は、カーペットの繊維の間から汚れ及び屑を取り除くよう作用する。各行程時に、スレッドリフトストリップ９２、１０６は、カーペットの表面からスレッド、毛髪等の形態の糸屑を除去するよう作用する。前述のように、第１のスレッドリフトストリップ９２は、後部吸引キャビティ部分２６に配置される支持体８４に取り付けられる。掃除機ヘッド１０がカーペット上で操作されると、カーペットの「丘状部」は、吸引キャビティ部分２４、２６の空気圧低下の結果として吸引キャビティ部分２４、２６の各々に引き込まれる。後部吸引キャビティ部分２６に吸い込まれたカーペット丘状部は、第１のスレッドリフトストリップ９２と係合して密接接触状態になる。支持体８４は後部吸引キャビティ部分２６に対して移動可能であり、掃除機ヘッド１０がカーペット上を移動する際にカーペットと第１のスレッドリフトストリップ９２との間に作用する力は、作業縁部４２、４４、５６、５８がカーペット繊維に加える力を著しく低減するほど大きくなく、一方で、ねじりバネ１０４の作用により、カーペットと第１のスレッドリフトストリップ９２との間の密接接触が維持される。
【００５７】
第１のスレッドリフトストリップ９２の繊維は、掃除機ヘッド１０の各後方行程によって、カーペット丘状部にある糸屑が第１のスレッドリフトストリップ９２の表面に収集されるように整列している。蓄積された糸屑は、掃除機ヘッド１０の前方行程によって第１のスレッドリフトストリップ９２から解放され、後部吸引キャビティ部分２６を通る空気流に同伴させることができる。収集された糸屑を第１のスレッドリフトストリップ９２から解放することは後部支持縁部９８によって助けることができ、掃除機ヘッド１０が前方方向に移動すると、収集された糸屑を後部支持縁部９８とカーペットとの間で捕捉又は挟むことができるので、後部吸引キャビティ部分２６を通る空気流に同伴されるように、収集された糸屑を第１のスレッドリフトストリップからむしり取ることができる。
【００５８】
第２のスレッドリフトストリップ１０６の繊維は、掃除機ヘッド１０の各前方行程によって、後部吸引キャビティ部分２６直後のカーペット上にある糸屑が、第２のスレッドリフトストリップ１０６の表面に収集されるように整列している。集積された糸屑は、掃除機ヘッド１０の後方行程によって第２のスレッドリフトストリップ１０６から解放することができる。解放された糸屑は、後部吸引キャビティ部分２６の後部作業縁部５８の下方を通過する第２の空気流に同伴させることができる、或いは、その後、掃除機ヘッド１０に吸い込まれるようにカーペットの表面に留まることができる。
【００５９】
図６から図９は、真空掃除用電気器具のための掃除機ヘッド１１０の第２の実施例の外観図である。第１の実施例と同様に、掃除機ヘッド１１０は、主本体１１２と、掃除機ヘッド１１０が床面上を操作できるように構成された一対のホイール１１４とを備える。主本体１１２は、上側本体部分に枢動可能に結合された下側本体部分１１６を備える。上側本体部分は、下側本体部分１１６に結合する前方部分１１８と、前方部分１１８に枢動結合された後方部分１２０とを備える。ホイール１１４は、主本体１１２の後方部分１２０に結合される。後方部分１２０は、真空掃除機のワンド又はホースに接続可能な開放端を有するコネクタ１２２を備える。
【００６０】
第２の実施例では、下側本体部分１１６は、掃除機ヘッド１１０の単一吸引キャビティ１２４を形成する。使用時には、吸引キャビティは、掃除すべき床面に面し、汚れ含有空気を床面から掃除機ヘッド１１０の中に受け入れる。吸引キャビティ１２４は、下側本体部分１１６の実質的に全体に広がって延びる。吸引キャビティ１２４は、汚れ含有空気流が吸引キャビティ１２４に入る下方に向いた吸引開口部１２６を有する。吸引開口部１２６は、下側本体部分１１６の底面によって形成される。吸引開口部１２６は、比較的長い前壁１２８、比較的長い後壁１３０、及び比較的長い壁１２８、１３０の端部の間に延びる２つの比較的短い側壁１３２、１３４によって境界が定められる。吸引開口部１２６の前部作業縁部１３６は、下側本体部分１１６の底面と前壁１２８との間の交差部で定められ、吸引開口部１２６の後部作業縁部１３８は、底面と後壁１３０との間の交差部で定められる。作業縁部１３６、１３８は、吸引開口部１２６を含む平面と実質的に同一平面上にあり、吸引開口部１２６の内部に配置される。吸引キャビティ１２４は、中央に配置され、下側本体部分１１６に広がる空気通路１４２に汚れ含有空気流を送る空気出口１４０を備える。上側本体部分は、汚れ含有空気流を空気通路１４２からコネクタ１２２まで送る導管１４４を備える。
【００６１】
第２の実施例では、掃除機ヘッド１１０は、下側本体部分１１６を取り囲むフレーム又はカバー１４６を備える。フレーム１４６は、下側本体部分１１６の下側周縁の周りで下方に延びる一連の剛毛１４８を支える。掃除機ヘッド１１０は、ユーザが、図６から図１２に示す剛毛の下端が吸引開口部１２６を含む平面の下方に位置する下降位置と、剛毛の下端が平面の上方に位置する上昇位置との間でフレーム１４６を移動できる機構１５０を備える。フレーム１４６が下降位置にある場合、掃除機ヘッド１１０は硬い床面を掃除する構成になる。作業縁部１３６、１３８は硬い床面から離間して、縁部が硬い床面に傷を付けるか又は跡を付けるのを防ぐ。フレーム１４６が上昇位置にある場合、掃除機ヘッド１１０は、作業縁部１３６、１３８がカーペット繊維と接触状態になることができるので、カーペット敷き面を掃除する構成になる。
【００６２】
スレッドリフトストリップ支持体１５２は、吸引キャビティ１２４に配置される。支持体１５２は、下側本体部分１１６に対して、結果的に吸引キャビティ１２４及び吸引開口部１２６に対して移動可能であるように、主本体１１２の下側本体部分１１６に結合される。第２の実施例では、支持体１５２は、吸引キャビティ１２４の前壁１２８に結合される。また、図１０を参照すると、支持体１５２は、支持体１５２の主本体のそれぞれの端部から外向きに延びると共に、前壁１２８に形成された開口に広がる一対のアーム１５４を備える。アーム１５４は、前壁１２８に結合されるシャフト１５６を受け入れる凹部を備える。アーム１５４は、アーム１５４がシャフト１５６を長手方向に通過すると共に吸引開口部１２６の平面に平行な軸線の周りで枢動することを可能にするスナップ嵌めで前壁１２８に結合される。アーム１５４の長さは、後部吸引キャビティ１２４が、支持体１５２の主本体の周りに延びるように、支持体１５２を前壁１２８から離間できる長さに選択される。
【００６３】
第１の実施例と同様に、支持体１５２の主本体は、第１のスレッドリフトストリップ１６０が、例えば、接着剤を用いて取り付けられる凹部１５８を有する。スレッドリフトストリップ１６０は、比較的剛性のある剛毛又は繊維の短い房を含む下面を有する、細長ストリップ又はパッドの形態である。スレッドリフトストリップ１６０の繊維は、同一方向に整列しており、本実施例では、吸引キャビティ１２４の前壁１２８から下向きかつこれから離れるように傾斜している。支持体１５２の凹部１５８は、支持体１５２の下面１５２を形成すると共に、支持体１５２の前縁１６２及び後縁１６４を形成する。後縁１６４は、前縁１６２を越えて下方に突出する。第２の実施例では、図１０から図１２に示すように、支持体１５２の下降位置において、後縁１６４は、吸引開口部１２６の平面の上方に位置する。支持体１５２は、支持体１５２の下降位置を越えて下方への移動を防止する停止部材１６６を含む。停止部材１６６は、支持体１５２の主本体上に配置され、吸引キャビティ１２４の前壁１２８と係合するように構成される。
【００６４】
第１の実施例と同様に、支持体１５２は、吸引キャビティ１２４の前壁１２８に対して支持体１５２の枢動運動により下降位置から上昇位置まで上向きに移動することができる。支持体１５２は、ねじりバネ１６８によって下降位置に付勢される。ねじりバネ１６８は、前壁１２８と係合する第１の端部と、支持体１５２の一部、好ましくは支持体１５２のアーム１５４の一方と係合する第２の端部とを有し、支持体１５２を下降位置に付勢するようになっている。第２のねじりバネは、支持体１５２の他方のアーム１５４と係合するように設けることができる。
【００６５】
第２の実施例では、掃除機ヘッド１１０は、支持体１５２の周りのスレッド又は毛髪、詳細には、全長がほぼスレッドリフトストリップ１６０に沿って延びる方向で収集されるスレッド又は毛髪の巻き付きを防止する手段を含む。支持体１５２の周りのスレッド又は毛髪の巻き付き防止手段は、前壁１２８と支持体１５２の主本体との間に延びるチャネル１７０内に配置される。本実施例では、支持体１５２の周りのスレッド又は毛髪の巻き付き防止手段は、支持体１５２に結合され、前壁１２８に向かってチャネル１７０内に延びる第１のセットのリブ１７２と、前壁１５０に結合され、支持体１５２に向かってチャネル１７０内を延びる第２のセットのリブ１７４とを備える。好ましくは、第１のセットのリブ１７２の各リブは、第２のセットのリブ１７４の１つのリブに隣接して配置される。各リブは、吸引キャビティ１２４の出口に向かってチャネル１７０を通る空気流を著しく妨げることなく、スレッドリフトストリップ１６０が捕捉したスレッドの端部が支持体１５２に巻き付くのを防止する、支持体１５２の片側に沿ったバリアをもたらす。
【００６６】
第２のスレッドリフトストリップ１７６は、主本体１１２の下側本体部分１１６の底面に取り付けられる。本実施例では、第２のスレッドリフトストリップ１７６は、底面の後方部分に取り付けられる。後方部分は、吸引開口部１２６の後部作業縁部１３８から後方に延び、作業縁部１３６、１３８を含む平面に対して上向きに傾斜している。第２のスレッドリフトストリップ１７６は、実質的に主本体１１２の全幅に延びる。第２のスレッドリフトストリップ１７６の繊維は、後部作業縁部１３８に向かって傾斜するように整列している。
【００６７】
使用時、カーペット敷き床面を掃除する、従って、フレーム１４６が上昇位置にある場合の掃除機ヘッド１１０の作動は、掃除機ヘッド１０の作動と同じである。掃除機ヘッド１１０の各前方行程時に、前部作業縁部１３６は、カーペットの繊維を激しく動かして、汚れ及びほこりを繊維の間から取り除いて吸引キャビティ１２４に入れる。この汚れ及びほこりは、前部作業縁部１３６の下方で吸引キャビティ１２４に吸い込まれる空気流に同伴される。掃除機ヘッド１１０の各後方行程時に、後部作業縁部１３８は、カーペット繊維を激しく動かして、汚れ及びほこりをカーペット繊維の間から取り除いて吸引キャビティ１２４に入れる。この汚れ及びほこりは、後部作業縁部１３８の下方で吸引キャビティ１２４に吸い込まれる空気流に同伴される。汚れ含有空気流は、空気出口１４０を通って吸引キャビティ１２４から出て行き、掃除機ヘッド１１０を通ってコネクタ１２２に取り付けられた真空掃除機のワンド又はホースに移動する。
【００６８】
各行程の各々の間に、スレッドリフトストリップ１６０、１７６は、カーペットの表面からスレッド、毛髪等の形態の糸屑を取り除くように作用する。前述のように、第１のスレッドリフトストリップ１６０は、吸引キャビティ１２４内に配置される支持体１５２に取り付けられる。掃除機ヘッド１１０がカーペット上で操作されると、カーペット「丘状部」は、吸引キャビティ１２４の空気圧低下の結果として吸引キャビティ１２４に引き込まれる。カーペット丘状部は、第１のスレッドリフトストリップ１６０と係合して密接接触状態になる。支持体１５２は吸引キャビティ１２４に対して移動可能であり、掃除機ヘッド１１０がカーペット上を移動する際にカーペットと第１のスレッドリフトストリップ１６０との間に作用する力は、作業縁部１３６、１３８がカーペット繊維に加える力を著しく低減するほど大きくなく、一方で、ねじりバネ１６８の作用によりカーペットと第１のスレッドリフトストリップ１６０との間の密接接触が維持される。
【００６９】
第１のスレッドリフトストリップ１６０の繊維は、掃除機ヘッド１１０の各後方行程によって、カーペット丘状部にある糸屑が、第１のスレッドリフトストリップ１６０の表面に収集されるように整列している。蓄積された糸屑は、掃除機ヘッド１０の前方行程によって第１のスレッドリフトストリップ１６０から解放され、吸引キャビティ１２４を通る空気流に同伴させることができる。収集された糸屑を第１のスレッドリフトストリップ１６０から解放することは後部支持縁部１６４によって助けることができ、掃除機ヘッド１１０が前方方向に移動すると、収集された糸屑は、後部支持縁部１６４とカーペットとの間で捕捉又は挟むことができるので、吸引キャビティ１２４を通る空気流に同伴されるように、収集された糸屑を第１のスレッドリフトストリップ１６０からむしり取ることができる。
【００７０】
第２のスレッドリフトストリップ１７６の繊維は、掃除機ヘッド１０の各前方行程によって、吸引キャビティ１２４直後のカーペット上にある糸屑が、第２のスレッドリフトストリップ１０６の表面に収集されるように整列している。集積された糸屑は、掃除機ヘッド１１０の後方行程によって第２のスレッドリフトストリップ１７６から解放することができる。解放された糸屑は、後部作業縁部１３８の下方を通過する空気流に同伴させることができる、或いは、その後、掃除機ヘッド１１０に吸い込まれるようにカーペットの表面に留まることができる。
【符号の説明】
【００７１】
２４  前部吸引キャビティ
２６  後部吸引キャビティ
２８  吸引開口部
３０  吸引開口部
９２  スレッドリフトストリップ
【図１】
2013106958.tif 000003
【図２】
2013106958.tif 000004
【図３】
2013106958.tif 000005
【図４】
2013106958.tif 000006
【図５】
2013106958.tif 000007
【図６】
2013106958.tif 000008
【図７】
2013106958.tif 000009
【図８】
2013106958.tif 000010
【図９】
2013106958.tif 000011
【図１０】
2013106958.tif 000012
【図１１】
2013106958.tif 000013
【図１２】
2013106958.tif 000014